【手続補正書】
【提出日】平成22年11月17日(2010.11.17)
【手続補正１】
【補正対象書類名】特許請求の範囲
【補正対象項目名】全文
【補正方法】変更
【補正の内容】
【特許請求の範囲】
【請求項１】
入力された画像オブジェクトデータを処理し出力画像データを生成する画像処理装置であって、
互いに独立した複数の画像オブジェクトデータを入力する入力手段と、
前記複数の画像オブジェクトデータで示される複数の画像オブジェクトの各々の解像度情報、および、出力位置を示す領域情報を取得する取得手段と、
前記取得手段で取得した複数の画像オブジェクトの各々の解像度情報に基づき、各々の画像オブジェクトデータに対する画像データを生成し記憶手段に格納する生成手段と、
注目画像オブジェクトが他の画像オブジェクトと重なる場合、該注目画像オブジェクトと該他の画像オブジェクトとのオーバーラップ領域を示すオーバーラップ領域情報、および、該注目画像オブジェクトおよび該他の画像オブジェクトの各々に対する解像度情報を抽出する抽出手段と、
生成する出力画像データの各座標をスキャンし、スキャン位置に対応する画素データを前記領域情報に従って前記記憶手段から読み出し、該スキャン位置に対応する画素データが前記オーバーラップ領域に位置する場合、該スキャン位置に対応する複数の画素データのうち少なくとも１つの画素データを、前記抽出手段で抽出したより高い解像度情報に従って変換し、変換した画素データと前記複数の画素データの他の画素データとを合成して出力する合成手段と、
を備えることを特徴とする画像処理装置。
【請求項２】
前記生成手段は、単色塗りつぶしの画像オブジェクトデータに対しては、単一画素の画像データを生成し前記記憶手段に記憶することを特徴とする請求項１に記載の画像処理装置。
【請求項３】
前記合成手段は、単色塗りつぶしの画像オブジェクトデータに対しては、前記単一画素の画像データを再帰的に利用し前記他の画素データと合成することを特徴とする請求項２に記載の画像処理装置。
【請求項４】
入力された画像オブジェクトデータを処理し出力画像データを生成する画像処理装置の制御方法であって、
入力手段が、互いに独立した複数の画像オブジェクトデータを入力する入力工程と、
取得手段が、前記複数の画像オブジェクトデータで示される複数の画像オブジェクトの各々の解像度情報、および、出力位置を示す領域情報を取得する取得工程と、
生成手段が、前記取得工程で取得した複数の画像オブジェクトの各々の解像度情報に基づき、各々の画像オブジェクトデータに対する画像データを生成し記憶手段に格納する生成工程と、
抽出手段が、注目画像オブジェクトが他の画像オブジェクトと重なる場合、該注目画像オブジェクトと該他の画像オブジェクトとのオーバーラップ領域を示すオーバーラップ領域情報、および、該注目画像オブジェクトおよび該他の画像オブジェクトの各々に対する解像度情報を抽出する抽出工程と、
合成手段が、生成する出力画像データの各座標をスキャンし、スキャン位置に対応する画素データを前記領域情報に従って前記記憶手段から読み出し、該スキャン位置に対応する画素データが前記オーバーラップ領域に位置する場合、該スキャン位置に対応する複数の画素データのうち少なくとも１つの画素データを、前記抽出工程で抽出したより高い解像度情報に従って変換し、変換した画素データと前記複数の画素データの他の画素データとを合成して出力する合成工程と、
を含むことを特徴とする画像処理装置の制御方法。
【請求項５】
コンピュータを、
互いに独立した複数の画像オブジェクトデータを入力する入力手段、
前記複数の画像オブジェクトデータで示される複数の画像オブジェクトの各々の解像度情報、および、出力位置を示す領域情報を取得する取得手段、
前記取得手段で取得した複数の画像オブジェクトの各々の解像度情報に基づき、各々の画像オブジェクトデータに対する画像データを生成し記憶手段に格納する生成手段と、
注目画像オブジェクトが他の画像オブジェクトと重なる場合、該注目画像オブジェクトと該他の画像オブジェクトとのオーバーラップ領域を示すオーバーラップ領域情報、および、該注目画像オブジェクトおよび該他の画像オブジェクトの各々に対する解像度情報を抽出する抽出手段、
生成する出力画像データの各座標をスキャンし、スキャン位置に対応する画素データを前記領域情報に従って前記記憶手段から読み出し、該スキャン位置に対応する画素データが前記オーバーラップ領域に位置する場合、該スキャン位置に対応する複数の画素データのうち少なくとも１つの画素データを、前記抽出手段で抽出したより高い解像度情報に従って変換し、変換した画素データと前記複数の画素データの他の画素データとを合成して出力する合成手段、
として機能させるためのプログラム。
【請求項６】
取得した各レイヤの解像度情報に従い各レイヤの画素データを生成する生成手段と、
前記生成手段により生成された一方のレイヤの画素データの解像度が前記生成手段により生成された他方のレイヤの画素データの解像度より低い場合、前記生成手段により生成された前記一方のレイヤの画素データの解像度変換処理を行い、該解像度変換処理された前記一方のレイヤの画素データと前記生成手段により生成された前記他方のレイヤの画素データとの重ね合わせ処理を行う処理手段と、
を備えることを特徴とする画像処理装置。
【請求項７】
生成手段が、取得した各レイヤの解像度情報に従い各レイヤの画素データを生成する生成工程と、
処理手段が、前記生成工程により生成された一方のレイヤの画素データの解像度が前記生成工程により生成された他方のレイヤの画素データの解像度より低い場合、前記生成工程により生成された前記一方のレイヤの画素データの解像度変換処理を行い、該解像度変換処理された前記一方のレイヤの画素データと前記生成工程により生成された前記他方のレイヤの画素データとの重ね合わせ処理を行う処理工程と、
を含むことを特徴とする画像処理装置の制御方法。
【請求項８】
コンピュータを、
取得した各レイヤの解像度情報に従い各レイヤの画素データを生成する生成手段、
前記生成手段により生成された一方のレイヤの画素データの解像度が前記生成手段により生成された他方のレイヤの画素データの解像度より低い場合、前記生成手段により生成された前記一方のレイヤの画素データの解像度変換処理を行い、該解像度変換処理された前記一方のレイヤの画素データと前記生成手段により生成された前記他方のレイヤの画素データとの重ね合わせ処理を行う処理手段、
として機能させるためのプログラム。
【請求項９】
取得した各レイヤの解像度情報に従い各レイヤの画素データを生成する生成手段と、
前記生成手段により生成された一方のレイヤの画素データの解像度が前記生成手段により生成された他方のレイヤの画素データの解像度より低い場合、前記生成手段により生成された前記一方のレイヤの画素データの解像度変換処理を行い、該解像度変換処理された前記一方のレイヤの画素データと前記生成手段により生成された前記他方のレイヤの画素データとの重ね合わせ処理を行う処理手段と、
前記重ね合わせ処理手段で重ね合わせ処理された画素データに基づき印刷を実行する印刷手段と、
を備えることを特徴とするプリンタ。
【手続補正２】
【補正対象書類名】明細書
【補正対象項目名】発明の名称
【補正方法】変更
【補正の内容】
【発明の名称】画像処理装置およびその制御方法並びにプログラム、プリンタ
【手続補正３】
【補正対象書類名】明細書
【補正対象項目名】０００８
【補正方法】変更
【補正の内容】
【０００８】
上述の問題点を解決するために、本発明の画像処理装置は以下の構成を備える。すなわち、入力された画像オブジェクトデータを処理し出力画像データを生成する画像処理装置において、互いに独立した複数の画像オブジェクトデータを入力する入力手段と、前記複数の画像オブジェクトデータで示される複数の画像オブジェクトの各々の解像度情報、および、出力位置を示す領域情報を取得する取得手段と、前記取得手段で取得した複数の画像オブジェクトの各々の解像度情報に基づき、各々の画像オブジェクトデータに対する画像データを生成し記憶手段に格納する生成手段と、注目画像オブジェクトが他の画像オブジェクトと重なる場合、該注目画像オブジェクトと該他の画像オブジェクトとのオーバーラップ領域を示すオーバーラップ領域情報、および、該注目画像オブジェクトおよび該他の画像オブジェクトの各々に対する解像度情報を抽出する抽出手段と、生成する出力画像データの各座標をスキャンし、スキャン位置に対応する画素データを前記領域情報に従って前記記憶手段から読み出し、該スキャン位置に対応する画素データが前記オーバーラップ領域に位置する場合、該スキャン位置に対応する複数の画素データのうち少なくとも１つの画素データを、前記抽出手段で抽出したより高い解像度情報に従って変換し、変換した画素データと前記複数の画素データの他の画素データとを合成して出力する合成手段と、を備える。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
上述の問題点を解決するために、本発明の画像処理装置は以下の構成を備える。すなわち、画像処理装置において、取得した各レイヤの解像度情報に従い各レイヤの画素データを生成する生成手段と、前記生成手段により生成された一方のレイヤの画素データの解像度が前記生成手段により生成された他方のレイヤの画素データの解像度より低い場合、前記生成手段により生成された前記一方のレイヤの画素データの解像度変換処理を行い、該解像度変換処理された前記一方のレイヤの画素データと前記生成手段により生成された前記他方のレイヤの画素データとの重ね合わせ処理を行う処理手段と、を備える。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】変更
【補正の内容】
【００１４】
上述の問題点を解決するために、本発明のプリンタは以下の構成を備える。すなわち、プリンタにおいて、取得した各レイヤの解像度情報に従い各レイヤの画素データを生成する生成手段と、前記生成手段により生成された一方のレイヤの画素データの解像度が前記生成手段により生成された他方のレイヤの画素データの解像度より低い場合、前記生成手段により生成された前記一方のレイヤの画素データの解像度変換処理を行い、該解像度変換処理された前記一方のレイヤの画素データと前記生成手段により生成された前記他方のレイヤの画素データとの重ね合わせ処理を行う処理手段と、前記重ね合わせ処理手段で重ね合わせ処理された画素データに基づき印刷を実行する印刷手段と、を備える。